(57)【要約】【課題】広範囲測長可能なインジケータの小型化及び構造の簡略化を図る。【解決手段】スピンドル１０と共に変位するスケールと、該スケールの変位を検出するためのグリッド４０、５０を備えた電磁誘導式インジケータにおいて、電磁誘導式スケールのパターン３０、５０をスピンドル１０に直接形成する。【選択図】　　　図３
2004037205.tif 000002
【特許請求の範囲】
【請求項１】
スピンドルと共に変位するスケールと、該スケールの変位を検出するためのグリッドとを備えた電磁誘導式インジケータにおいて、
電磁誘導式スケールのパターンをスピンドルに形成したことを特徴とする電磁誘導式インジケータ。
【請求項２】
前記電磁誘導式スケールが、スピンドルの表面に沿って湾曲して形成され、前記グリッドも、スピンドル表面に倣わせて湾曲されていることを特徴とする請求項１に記載の電磁誘導式インジケータ。
【請求項３】
前記電磁誘導式スケールが、スピンドルの一部を切欠いた平面上に形成されていることを特徴とする請求項１に記載の電磁誘導式インジケータ。
【請求項４】
請求項１乃至３のいずれかに記載の電磁誘導式インジケータを製造するに際して、
電磁誘導式スケールのパターンを予め形成したシートを、スピンドルの表面に固着することを特徴とする電磁誘導式インジケータの製造方法。
【発明の詳細な説明】
【０００１】
【発明の属する技術分野】
本発明は、スピンドルと共に変位するスケールと、該スケールの変位を検出するためのグリッドとを備えた電磁誘導式インジケータに係り、特に、測長範囲を拡大すると共に、筐体の小型化、部品の簡略化を図ることが可能な電磁誘導式インジケータに関する。
【０００２】
【従来の技術】
図１（正面図）及び図２（側面図）に示す如く、スピンドル１０に取付けたスケール１２の移動を、対向して取り付けたグリッド２０を用いて読み取ることで位置測定を行なうデジタル式インジケータが知られている。
【０００３】
図において、１４は、スケール１２をスピンドル１０に固定するためのスケールホルダ、１６は、スピンドル１０を図１の左右方向に摺動自在に保持するためのブッシュ又はボールベアリングである。
【０００４】
【発明が解決しようとする課題】
しかしながら、スピンドル１０の測長範囲Ｒは、スケール１２の長さに依存する。従って、従来のようにスケール１２をスケールホルダ１４を介してスピンドル１０に取り付ける構成では、特に広範囲測長可能なインジケータにおいて、スケール１２の大きさに応じて、スケールカバー筐体２２も太く長くなるため、その大型化が避けられないという問題点を有していた。
【０００５】
本発明は、前記従来の問題点を解消するべくなされたもので、広範囲測長可能なインジケータを小型化すると共に、構造を簡略化することを課題とする。
【０００６】
【課題を解決するための手段】
本発明は、スピンドルと共に変位するスケールと、該スケールの変位を検出するためのグリッドとを備えた電磁誘導式インジケータにおいて、電磁誘導式スケールのパターンをスピンドルに形成することにより、前記課題を解決したものである。
【０００７】
又、前記電磁誘導式スケールを、スピンドルの表面に沿って湾曲して形成し、前記グリッドも、スピンドル表面に倣わせて湾曲させたものである。
【０００８】
又、前記電磁誘導式スケールを、スピンドルの一部を切欠いた平面上に形成したものである。
【０００９】
本発明は、又、前記の電磁誘導式インジケータを製造するに際して、電磁誘導式スケールのパターンを予め形成したシートを、スピンドルの表面に固着することを特徴とする電磁誘導式インジケータの製造方法を提供するものである。
【００１０】
【発明の実施の形態】
以下図面を参照して、本発明の実施形態を詳細に説明する。
【００１１】
本発明の第１実施形態は、図３（正面図）及び図４（側面図）に示す如く、インジケータのスピンドル１０に、電磁誘導式スケールのパターン３０を直接形成することで、スピンドル全体をインジケータのスケールとして用いることができるようにしたものである。
【００１２】
具体的には、スピンドル１０として、絶縁体、若しくは、導電体表面に絶縁処理を行なったものを用い、その表面に、エッチング等により金属膜をスケールパターン状に形成した接着シート３２を貼り付けることで、インジケータのスケール部を作成する。
【００１３】
更に、前記シート３２の表面に、摺動用の保護膜（図示省略）を成膜して、ブッシュやボールベアリング１６等を用いた摺動を行なう。保護膜としては、例えば、ＤＬＣ（Ｄｉａｍｏｎｄ　Ｌｉｋｅ　　Ｃａｒｂｏｎ）膜を用いることができる。
【００１４】
又、グリッド４０も、図４に示した如く、スピンドル表面のスケールパターン３０に倣わせて、湾曲させ、スピンドル１０の移動量をスケールパターン３０から直接読取ることで測長を行う。
【００１５】
このようにして、測長範囲Ｒを、ほぼスピンドル１０の全長に亘って設定することができる。
【００１６】
位置検出方式として、水や汚れ等の外的影響に強い電磁誘導方式を用いることで、スケールパターン３０を保護ケース４２外に晒すことが可能となり、拡大された測長範囲Ｒに比べて保護ケース４２を小型化することができる。
【００１７】
本実施形態においては、スケールパターン３０を接着シート３２に形成しているので、シート３３のスピンドル１０への貼り付けが容易である。なお、接着剤が塗られていないシートにスケールパターンを形成した後、接着剤を用いてスピンドル１０に貼り付けることも可能である。
【００１８】
又、本実施形態においては、スケールパターン３０を形成した接着シート３２をスピンドル１０の表面に貼り付けるようにしているため、スケールパターン３０の形成が容易である。なお、スケールパターン３０を直接スピンドル１０に、導電性インクで印刷することも可能である。
【００１９】
なお、第１実施形態においては、図４に示した如く、測長用グリッド４０がスピンドル１０の外周をほぼ半周するようにされていたが、測長用グリッド４０の形状はこれに限定されず、必要な感度に応じて、例えば図５に示す第２実施形態のように、ほぼ１周するように構成することも可能である。
【００２０】
あるいは、図６に示す第３実施形態のように、スピンドル１０の一部を切欠いて平面部１１を設け、該平面部１１に平板状のスケールパターン３４を直接形成してもよい。
【００２１】
この場合には、従来例と同様の平板状の測長用グリッド５０を用いることができ、グリッド５０の製造が容易である。
【００２２】
【発明の効果】
本発明によれば、スピンドル自体をスケールとして直接位置を読み取るため、測長用スケールを新たに取り付ける必要が無い。
【００２３】
又、測長範囲がスケールの大きさに依存せず、且つ、外的要因に強い電磁誘導方式を用いることで、スケールを保護ケース内に収める必要が無くなり、筐体部分の小型化を図ることができる。
【００２４】
更に、スケール取付のためのスケールホルダ等の部品が不要となることで、構成の簡略化が図られる。
【図面の簡単な説明】
【図１】従来のデジタル式インジケータの一例の構成を示す正面図
【図２】同じく側面図
【図３】本発明に係るデジタル式インジケータの第１実施形態の構成を示す正面図
【図４】同じく側面図
【図５】同じく第２実施形態の構成を示す側面図
【図６】同じく第３実施形態の構成を示す側面図
【符号の説明】
１０…スピンドル
１１…平面部
３０、３４…スケールパターン
３２…接着シート
４０、５０…測長用グリッド
４２…保護ケース
【図１】
2004037205.tif 000003
【図２】
2004037205.tif 000004
【図３】
2004037205.tif 000005
【図４】
2004037205.tif 000006
【図５】
2004037205.tif 000007
【図６】
2004037205.tif 000008